(57)【要約】【課題】カラー画像の回転処理を行うのに、メモリ容量が少なくて済み、白黒２値の回路をそのまま使用できる画像処理装置を提供する。【解決手段】カラースキャナ３で読み取ったカラー画像のＲ、Ｇ、Ｂ信号をＡＦＥ回路４に入力し、多値のＲ、Ｇ、Ｂディジタル信号に変換し、ＲＧＢ／ＣＭＹＫ変換テーブル５に入力する。ＲＧＢ／ＣＭＹＫ変換テーブル５で多値のＲ、Ｇ、Ｂディジタル信号を多値のＣＭＹＫディジタル信号に変換し、誤差拡散処理回路６で２値の各Ｃ、Ｍ、Ｙ、Ｋ信号に変換する。この２値の各Ｃ、Ｍ、Ｙ、Ｋ信号をページメモリ８を用いて、メモリ管理回路７により回転処理する。【選択図】　　　図１
2004015262.tif 000002
【特許請求の範囲】
【請求項１】
第１の表色系の多値データを入力する入力手段と、第１の表色系の多値データを第２の表色系の２値データに変換する変換手段と、第２の表色系の２値データを格納するメモリと、このメモリへのアクセスを制御し、画像を回転させるメモリ管理手段と、メモリ管理手段からの第２の表色系の２値データを出力する出力手段と、を備えたことを特徴とする画像処理装置。
【請求項２】
前記メモリ管理手段は、１つの画像の回転処理手段を備え、第２の表色系の各成分につき、順に回転処理を施すことを特徴とする請求項１記載の画像処理装置。
【請求項３】
前記第１の表色素はＲＧＢ表色系であり、前記第２の表色系はＹＭＣＫ表色系であることを特徴とする請求項１又は請求項２記載の画像処理装置。
【発明の詳細な説明】
【０００１】
【発明の属する技術分野】
この発明は、複写機、ファクシミリ装置、複写機能・ファックス機能等の多機能を有する複合機等で使用されるカラーの画像処理装置に関する。
【０００２】
【従来の技術】
一般に上記した複写機、ファクシミリ装置、複合機等において、スキャナで原稿を読み取った画像データや受信した画像データを、プリントする用紙の姿勢との関係、その他から回転させる画像変換を行うことがある。従来の画像の回転処理は、１頁の画像をメモリから１画素ずつ読み出し、Ｘ−Ｙ座標を例えば９０°回転させるように位置変換し、他のメモリに格納するようにしている。
【０００３】
【発明が解決しようとする課題】
カラーの画像処理装置では、Ｒ、Ｇ、Ｂの色成分について多値のデータとして取り扱っていることが多い。例えば、各色２５６階調ならば、１画素につき８ビットずつのデータとなる。このようなデータの形式で、画像の回転処理を行おうとすると、１頁の画像につき、モノクロ２値の場合に比べて、２４倍のメモリが必要となる。その上、そのメモリを管理する回路も複雑化し、コストが上昇するという問題点がある。
【０００４】
この発明は上記問題点に着目してなされたものであって、カラー画像の回転処理を行うのに、メモリ容量が少なくて済み、白黒２値の回路をそのまま使用できる画像処理装置を提供することを目的としている。
【０００５】
【課題を解決するための手段】
この発明の画像処理装置は、第１の表色系の多値データを入力する入力手段と、第１の表色系の多値データを第２の表色系の２値データに変換する変換手段と、第２の表色系の２値データを格納するメモリと、このメモリへのアクセスを制御し、画像を回転させるメモリ管理手段と、メモリ管理手段からの第２の表色系の２値データを出力する出力手段と、を備えている。
【０００６】
この発明の画像処理装置において、前記メモリ管理手段は、１つの画像の回転処理手段を備え、第２の表色系の各成分につき、順に回転処理を施すと良い。
【０００７】
また、この発明の画像処理装置において、前記第１の表色系はＲＧＢ表色系であり、前記第２の表色系はＹＭＣＫ表色系であれば良い。
【０００８】
【発明の実施の形態】
以下、実施の形態により、この発明をさらに詳細に説明する。図１は、この発明の画像処理装置の一実施形態であるカラー複写機の主要回路部の構成を示すブロック図である。
【０００９】
この実施形態複写機は、図１に示すように、ＭＰＵ１と、操作部２と、カラースキャナ３と、ＡＦＥ（アナログフロントエンド）回路４と、ＲＧＢ／ＣＭＹＫ変換テーブル５と、誤差拡散処理回路６と、メモリ管理回路７と、ページメモリ８と、カラープリンタエンジン９と、表示部１０と、を備えている。
【００１０】
ＭＰＵ１は、ＲＧＢ／ＣＭＹＫ変換テーブル５、誤差拡散処理回路６、メモリ管理回路７、カラープリンタエンジン９の処理動作の他、装置全体の処理動作を制御する。操作部２は、コピーキー、スタートキー、クリアキー、テンキー、その他種々のキーを有する。カラースキャナ３はＣＣＤスキャナを使用しており、原稿上の画像データを読み取ってカラーのイメージデータを出力する。
【００１１】
ＡＦＥ回路４は、カラースキャナ３で読み取られたカラーの原稿画像のＲ、Ｇ、Ｂ信号（第１の表色系）を入力に受け、このアナログのＲ、Ｇ、Ｂ信号の多値のディジタル信号に変換して出力する。ＲＧＢ／ＣＭＹＫ変換テーブル５は、ＲＧＢの多値ディジタル信号を入力に受け、多値のＣ、Ｍ、Ｙ、Ｋ信号（第２の表色系）に変換して出力する。Ｒ、Ｇ、Ｂ系の信号をＣ、Ｍ、Ｙ、Ｋ系の信号に変換する方法は、多項式による変換、ＬＵＴ方式による変換など、既に良く知られた方法を用いれば良い。
【００１２】
誤差拡散処理回路６は、多値のＣ、Ｍ、Ｙ、Ｋ信号を入力に受け、多値のＣ　、Ｍ、Ｙ、Ｋ信号を誤差拡散法により２値化する。メモリ管理回路７は、２値化されたＣ、Ｍ、Ｙ、Ｋ信号を入力に受け、回転処理を施して回転済みの画像データをページメモリ８に格納する。このメモリ管理回路７は、白黒２値の回転処理の回路を使用し、入力の２値の各Ｃ、Ｍ、Ｙ、Ｋ信号は、個別にシリアルに受けて回転処理を行っても良いし、各Ｃ、Ｍ、Ｙ、Ｋ信号を並行して回転処理を行っても良い。
【００１３】
次に、この実施形態カラー複写機において、画像読み取り処理を図３に示すフロー図を参照して説明する。先ず、ステップＳＴ１においては、画像読み取りか否か判定される。原稿がセットされ、操作部２のスタートキーが操作されると、判定ＹＥＳで、ステップＳＴ２へ移行する。ステップＳＴ２においては、読み取り画像を回転するか否かを判定する。操作部８で画像回転の設定がなされていると、ステップＳＴ３へ移行する。一方、画像回転の設定がなされていないと、ステップＳＴ６へ移行する。
【００１４】
ステップＳＴ３においては、画像の読み取りをカラースキャナ３で行いながら、メモリ管理回路７で画像の回転処理を実行する。カラースキャナ３は、カラーＣＣＤを使用しているので、ここでの回転処理は図２に示す回路において、読み取ったカラー画像のＲ、Ｇ、Ｂ信号をＡＦＥ４でアナログ／ディジタル変換して、多値のＲ、Ｇ、Ｂディジタル信号をＲＧＢ／ＣＭＹＫ変換テーブル５に入力する。このＲＧＢ／ＣＭＹＫ変換テーブル５で、多値のＲ、Ｇ、Ｂディジタル信号を多値のＹ、Ｍ、Ｃ、Ｋディジタル信号に変換し、更に、この多値のＹ、Ｍ、Ｃ、Ｋディジタル信号を誤差拡散処理回路６で２値の各Ｃ、Ｍ、Ｙ、Ｋ信号に変換し、メモリ管理回路７でページメモリ８を用いて回転処理を施し、回転処理後のデータを出力する。
【００１５】
続いて、ステップＳＴ４へ移行する。ステップＳＴ４においては、回転処理した画像データをプリントするか否かを判定する。操作部８でプリントの設定があれば（コピー等）、ステップＳＴ５へ移行する。一方、プリントの設定がない場合（読み取り保存のみ）は、ステップＳＴ９へ移行する。ステップＳＴ５においては、プリンタ（カラープリンタエンジン）９で２値Ｃ、Ｍ、Ｙ、Ｋの読取回転画像をカラープリントする。
【００１６】
ステップＳＴ６においては、プリントか否か判定する。回転の設定はないが、コピー等、プリントの設定有りの場合は、ステップＳＴ７へ移行する。ステップＳＴ７においては、カラープリンタエンジン９でプリント処理を行う。ステップＳＴ６において、プリント不要の場合は、読み取り画像を保存メモリ（図示せず）に格納する。また、ステップＳＴ９においては、読み取り回転画像を保存メモリに格納する。
【００１７】
【発明の効果】
この発明によれば、第１の表色系の多値データを第２の表色系の２値に変換するので、データ量が減り、メモリ容量が少なくて済む。また、回転処理も第２の表色素の各色毎に処理できるので、白黒２値の回路をそのまま適用することができ、回路規模の増大を防ぐことができる。
【図面の簡単な説明】
【図１】この発明の画像処理装置の一実施形態であるカラー複写機の主要部の構成を示すブロック図である。
【図２】同実施形態カラー複写機の画像読み取り時の処理を説明するフロー図である。
【符号の説明】
１　　　　　　ＭＰＵ
２　　　　　　操作部
３　　　　　　カラースキャナ
４　　　　　　ＡＦＥ回路
５　　　　　　ＲＧＢ／ＣＭＹＫ変換テーブル
６　　　　　　誤差拡散処理回路
７　　　　　　メモリ管理回路
８　　　　　　ページメモリ
９　　　　　　カラープリンタエンジン
１０　　　　　表示部
【図１】
2004015262.tif 000003
【図２】
2004015262.tif 000004